(57)【要約】【課題】内袋が、ゴミ箱の袋掛け部分の寸法より過大、過不足でも、確実に装着できる。【解決手段】ゴミ箱内壁に内袋取り付け具（ａ）を数ヶ所固着する、左手で弾性反発体のアームＡ（３）を押さえて、隙間をつくり、その間に内袋を滑らして差し込むと同時に押さえていた左手を放すと、アームＡ（３）の先端部Ａ（５）とアームＢ（４）の先端部Ｂ（６）に内袋が挟まれて外れない状態になる。その動作を数回繰り返し内袋を吊り下げる。寸法過大の内袋の場合は、弛んだ部分をアームＡ（３）の先端部Ａ（５）アームＢ（４）の先端部Ｂ（６）に挟み込むと綺麗になる。寸法不足の場合は、最低3ヶ所取り付けた各アームの先端部Ａ（５）先端部Ｂ（６）に内袋を挟み吊り下げる。さらに、小さいサイズの内袋の場合は、1ヶ所でも２ヶ所でも内袋をアームに挟むと使用できる。【選択図】  図２
2008273653.tif 000002
【特許請求の範囲】
【請求項１】
板状の基盤（１）、基盤（１）の両側端より横方に向けて形成した可撓性の貼着片（２）、貼着片（２）はゴミ箱の内壁に固着するものとして、さらに、基盤（１）の上端から前方より下方に向け湾曲する弾性反発体のアームＡ（３）を形成する、対向する基盤（１）の下端からは、前方より上方に向け湾曲するアームＢ（４）を形成する、アームＡ（３）の先端部Ａ（５）とアームＢ（４）の先端部Ｂ（６）は圧着して重なるものとして、先端部Ａ（５）は、先端部Ｂ（６）の内側になることを特徴とする内袋取付け具。
【請求項２】
請求項１に記載の内袋取付け具であって、重なり合うアームＡ（３）の先端部Ａ（５）及びアームＢ（４）の先端部Ｂ（６）が平面形状であることを特徴とする内袋取付け具。
【請求項３】
請求項１に記載の内袋取付け具であって、重なり合うアームＡ（３）の先端部Ａ（５）及びアームＢ（４）の先端部Ｂ（６）の一方又は、両方に滑り止め具Ａ（７）を貼設したことを特徴とする内袋取付け具。
【請求項４】
請求項１に記載の内袋取付け具であって、重なり合うアームＡ（３）の先端矩形部（８）とアームＢ（４）の先端矩形部（８）が矩折形状で嵌合した事を特徴とする内袋取付け具。
【請求項５】
板状とした基盤（１）、基盤（１）の両側端より横方に向けて形成した可撓性の貼着片（２）、貼着片（２）はゴミ箱の内壁に固着するものとして、基盤（１）の下端より弾性反発体のアームＣ（９）が前方上方向に向け湾曲形成し一旦、基盤（１）の表面に、押え部（１０）が圧着、さらに、先端部Ｃ（１２）が前方上方向に突き出した形のアームＣ（９）を形成したことを特徴とする内袋取付け具。
【請求項６】
請求項５に記載の内袋取付け具であって、押え部（１０）に滑り止め具Ｂ（１１）を貼設したことを特徴とする内袋取付け具。
【発明の詳細な説明】
【技術分野】
【０００１】
本願発明は、ゴミ箱の内側に取付ける内袋取付け具に関し、特に内袋をゴミ箱の内壁に容易に取付けできる技術に関するものである。
【背景技術】
【０００２】
従来の内袋取付け機構は、内袋上縁をゴミ箱の内壁沿いに支持する矩形又は円形の袋掛け棒又は枠と、その支持部材からなり、その袋掛け棒又は枠に内袋の上部を内から外へ折り返して掛ける機構であった。
【特許文献１】特開２００４−７５３５２号公報
【特許文献２】特開２００３−１９２１０３号公報
【特許文献３】実願平８−６２５２号公報
【発明の開示】
【発明が解決しようとする課題】
【０００３】
従来の内袋取付け機構は、ゴミ箱の内壁沿いに支持する矩形又は円形の袋掛け棒又は枠を支持部材で軸止めしているゴミ箱であるので、内袋を取りつけるには、ほぼゴミ箱と同等か、それ以上の大きさの内袋を取付ける必要があった。ゴミ箱より小さな内袋を使う時は、袋掛け棒又は枠を使えないので、内袋をゴミ箱の底に落し込んで使用していました。落ち込んだ内袋は手で持ち上げながら広げてゴミを内袋に入れるので、不便で不衛生であり、又、内袋取付け機構が付いていないゴミ箱は、ゴミ箱の上端枠に内袋を巻きつけて使用していましたので蓋に隙間ができ不衛生でした。この発明は上記のような欠点を無くすため、小さな内袋でも確実に取りつけられる内袋取付け具を提供するものである。  
【課題を解決するための手段】
【０００４】
上記課題を解決するため、本願の第1の発明の構成は、請求項１記載のとおりである。
上記第1の発明の構成に係る内袋取付け具は、板状の基盤（１）、基盤（１）の両側端より横方に向けて形成した可撓性の貼着片（２）、貼着片（２）はゴミ箱の内壁に固着するものとして、さらに、基盤（１）の上端から前方より下方に向け湾曲する弾性反発体のアームＡ（３）を形成する、対向する基盤（１）の下端からは、前方より上方に向け湾曲するアームＢ（４）を形成する、アームＡ（３）の先端部Ａ（５）とアームＢ（４）の先端部Ｂ（６）は圧着して重なるものとして、先端部Ａ（５）は、先端部Ｂ（６）の内側になることを特徴とする内袋取付け具であるので、大きい内袋、小さい内袋どちらの内袋でも対応が可能になる。又、アームＢも弾性反発体で出来ていてもよいし、突き出している可撓性の貼着片（２）が無く基盤の背部自体が貼着してもよい。
【０００５】
さらに、本願の第２の発明の構成は、請求項２記載のとおりである。上記第２の発明の構成に係る内袋取付け具は、請求項１に記載の内袋取付け具であって、重なり合うアームＡ（３）の先端部Ａ（５）及びアームＢ（４）の先端部Ｂ（６）が平面形状であることを特徴とする内袋取付け具であるので、容易に内袋を取りつける事が出来る。
【０００６】
さらに、本願の第３の発明の構成は、請求項３記載のとおりである。上記第３の発明の構成に係る内袋取付け具は、請求項１に記載の内袋取付け具であって、重なり合うアームＡ（３）の先端部Ａ（５）及び、アームＢ（４）の先端部Ｂ（６）の一方又は、両方に滑り止め具Ａ（７）を貼設したことを特徴とする内袋取付け具であるので、取り付けた内袋が滑って外れる事がないので安心である。
【０００７】
さらに、本願の第４の発明の構成は、請求項４記載のとおりである。上記第４の発明の構成に係る内袋取付け具は、請求項１に記載の内袋取付け具であって、重なり合うアームＡ（３）の先端矩形部（８）とアームＢ（４）の先端矩形部（８）が矩折形状で嵌合した事を特徴とする内袋取付け具であるので、内袋の取りつけが安定する。
【０００８】
さらに、本願の第５の発明の構成は、請求項５記載のとおりである。上記第5の発明の構成に係る内袋取付け具は、板状とした基盤（１）、基盤（１）の両側端より横方に向けて形成した可撓性の貼着片（２）、貼着片（２）はゴミ箱の内壁に固着するものとして、基盤（１）の下端より弾性反発体のアームＣ（９）が前方上方向に向け湾曲形成し一旦、基盤（１）の表面に、押え部（１０）が圧着、さらに、先端部Ｃ（１２）が前方上方向に突き出した形のアームＣ（９）を形成したことを特徴とする内袋取付け具であるので、内袋の取りつけが簡単である。さらに、突き出している可撓性の貼着片（２）が無く基盤の背部自体が貼着してもよい。              
【０００９】
さらに、本願の第６の発明の構成は、請求項６記載のとおりである。上記第６の発明の構成に係る内袋取付け具は、請求項５に記載の内袋取付け具であって、アームＣ（９）の押え部（１０）の端部に滑り止め具Ｂ（１１）を貼設したことを特徴とする内袋取付け具であるので、取り付けた内袋が滑って落ちる心配がない。
【発明の効果】
【００１０】
本願の第1の発明に係る内袋取付け具は、ゴミ箱の内周壁に内袋取付け具を貼着して使用すると、以前のように内袋は、ゴミ箱と同等か、それ以上の大きさの内袋を取付ける必要はなくなりました。例えば、小さい内袋を使用する場合は、ゴミ箱内に取り付けている数個の内袋取付け具の内、３箇所に内袋を取り付けると、投入口が三角形の開口部になり容易にゴミを投入することができます。さらに、小さい内袋を使用する場合は、1ヶ所でも2ヶ所でも内袋取付け具に内袋を取り付けると、ゴミ箱の底に内袋を落したり、落ち込んだ内袋を手で持ち上げながら広げて、ゴミを内袋に入れる必要がないので衛生的であります。又、ゴミ箱より大きい内袋の場合は、余分な部分を折り返して内袋取付け具に挟み込むだけで、内袋の収まりがよくなり、気持ち良くゴミを投入することが出来る、内袋取付け具を提供するものである。  
【００１１】
さらに、本願の第２の発明によれば、上記第1の発明の効果に加え、重なり合うアームＡ（３）の先端部Ｂ（５）及びアームＢ（４）の先端部Ｂ（６）が平面形状にすることにより、内袋を挟むときに容易に差し込むことが出来る、内袋取付け具を提供するものである。  
【００１２】
さらに、本願の第3の発明によれば、上記第1の発明の効果に加え、重なり合うアームＡ（３）の先端部Ａ（５）及び、アームＢ（４）の先端部Ｂ（６）の一方または、両方に滑り止め具Ａ（７）を貼設することにより、摩擦力が増し取付けた内袋は引っ張っても滑り落ちることはない、内袋取付け具を提供するものである。  
【００１３】
さらに、本願の第４の発明によれば、上記第1の発明の効果に加え、重なり合うアームＡ（３）の先端矩形部（８）とアームＢ（４）の先端矩形部（８）が矩折形状で嵌合した事を特徴とする内袋取付け具を提供するものである。  
【００１４】
さらに、本願の第５の発明に係る内袋取付け具は、上記記載の内袋取付け具と比べると１本の弾性反発体のアームＣ（９）を使用することにより、内袋の取付けは簡単に使用できる、内袋取付け具を提供するものである。  
【００１５】
さらに、本願の第６の発明に係る内袋取付け具は、上記記載の内袋取付け具の弱くなっている挟着力の押え部（１０）に滑り止め具Ｂ（１１）を設けることにより、滑り落ちない内袋取付け具を提供するものである。  
【発明を実施するための最良の形態】
【００１６】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１７】
以下、本願発明における実施の形態を図面に基づいて説明する。図１、図２は第1の実施の形態の斜視図を示す。図１では、内袋取付け具本体（ａ）の斜め後方よりの斜視図を示し、図２では、内袋取付け具本体（ａ）の斜め前方よりの斜視図を示す。基盤（１）は板状となっている。板状となっている基盤（１）の両側端より横方向に向けて突き出た貼着片（２）は可撓性で形成されている。可撓性の貼着片（２）は、被貼着体のゴミ箱が曲がっていても強く貼着片（２）を押さえつけることにより、変形して貼着し内壁に固着する。又、板状となっている基盤（１）の上端からは、弾性反発体のアームＡ（３）が、前方より下方に向けて湾曲形成している。対向する、アームＢ（４）は、基盤（１）の下端より前方の上方に向け湾曲形成し、アームＡ（３）と重なっている。アームＡ（３）の先端部Ａ（５）は内側になり、アームＢ（４）の先端部Ｂ（６）は外側になって圧着して重なっている。
【実施例２】
【００１８】
図３は、本願発明の第2の実施の形態の斜視図を示す。図３では、アームＡ（３）とアームＢ（４）との間隔を開けるために指で押さえて広げたところの斜視図である。先端部Ａ（５）と先端部Ｂ（６）の接触する面は平面形状になっている。
【実施例３】
【００１９】
図４は、本願発明の第３の実施の形態で内袋取付け具本体（ｂ）の斜め前方よりの斜視図を示す。図４は、図３におけるアームＡ（３）の先端部Ｂ（５）に滑り止め具Ａ（７）を貼設したものである。
【実施例４】
【００２０】
図５は、本願発明の第４の実施の形態で内袋取付け具本体（ｃ）の斜め前方よりの斜視図を示す。図５は、重なり合うアームＡ（３）の先端矩形部（８）とアームＢ（４）の先端矩形部（８）が矩折形状で嵌合したものである。
【実施例５】
【００２１】
図６、図７は、本願発明の第５の実施の形態で内袋取付け具本体（ｄ）の斜め前方よりの斜視図を示す。板状とした基盤（１）、基盤（１）の両側端より横方に向けて形成した可撓性の貼着片（２）、貼着片（２）はゴミ箱の内壁に固着する。基盤（１）の下端より弾性反発体のアームＣ（９）が前方上方向に向け湾曲形成し一旦、基盤（１）の表面に押え部（１０）が圧着、さらに先端部Ｃ（１２）が前方上方向に突き出した形のアームＣ（９）を形成している。
【実施例６】
【００２２】
図８は、本願発明の第６の実施の形態で内袋取付け具本体（ｅ）の斜め前方よりの斜視図を示す。図８は、図７におけるアーム（９）の押え部（１０）に滑り止め具Ｂ（１１）を設けたものである。
【００２３】
図９は，ゴミ箱の一部を断面図にして、内袋取付け具本体（ａ）に内袋を取り付けたところの斜視図である。
【図面の簡単な説明】
【００２４】
【図１】第1実施の形態の斜視図である。
【図２】第1実施の形態の斜視図である。
【図３】第2の実施の形態の斜視図を示す。
【図４】第３の実施の形態で内袋取付け具本体（ｂ）の斜め前方よりの斜視図を示す。
【図５】第４の実施の形態で内袋取付け具本体（ｃ）の斜め前方よりの斜視図を示す。
【図６】第５の実施の形態で内袋取付け具本体（ｄ）の斜め前方よりの斜視図を示す。
【図７】第５の実施の形態で内袋取付け具本体（ｄ）の斜め前方よりの斜視図を示す。
【図８】第６の実施の形態で内袋取付け具本体（ｅ）の斜め前方よりの斜視図を示す。
【図９】ゴミ箱（１４）の一部を断面図にして、内袋取付け具本体（ａ）に内袋を取り          付けたところの斜視図である。
【符号の説明】
【００２５】
１                    基盤  
２                    貼着片
３                    アームＡ
４                    アームＢ
５                    先端部Ａ
６                    先端部Ｂ
７                    滑り止め具Ａ
８                    先端矩形部
９                    アームＣ
１０                    押え部
１１                    滑り止め具Ｂ
１２                    先端部Ｃ  
１３                    ゴミ箱
１４                    内袋
ａ、ｂ、ｃ、ｄ、ｅ      内袋取付け具
【図１】
2008273653.tif 000003
【図２】
2008273653.tif 000004
【図３】
2008273653.tif 000005
【図４】
2008273653.tif 000006
【図５】
2008273653.tif 000007
【図６】
2008273653.tif 000008
【図７】
2008273653.tif 000009
【図８】
2008273653.tif 000010
【図９】
2008273653.tif 000011